(57)【特許請求の範囲】
【請求項１】
引出し扉と、前記引出し扉の裏面の左右両側に立設したフレームと、前記各フレームの後部に設けられた前記フレーム摺動用のローラーと、冷蔵庫本体の内箱に設けられ、前記ローラーが摺動するローラ摺動部が設けられたレールとを備え、前記レールのローラ摺動部の上面部に上部フランジを設け前記レールのローラ摺動部の間口寸法を前記ローラーの外径より小さくすると共に、前記レールのローラ摺動部の下部に設けられたリブと前記フレーム下部に設けられた端部とが係合することを特徴とする冷蔵庫。
【請求項２】
前記リブには開放部が設けられ、前記開放部に前記端部が引っ掛かるように配設されていることを特徴とする請求項１記載の冷蔵庫。
【請求項３】
前記端部は、前記フレームに設けられたローラーを回転させるローラー軸の直下に設けられたことを特徴とする請求項２記載の冷蔵庫。
【請求項４】
前記リブには冷蔵庫の前後方向に渡って上向きに開放部が設けられ、前記端部が前記フレームに設けられたローラーを回転させるローラー軸の下方に冷蔵庫の前後方向に渡って設けられていることを特徴とする請求項２記載の冷蔵庫。
【請求項５】
前記端部には開放部が設けられ、前記開放部に前記リブが引っ掛かるように配設されていることを特徴とする請求項１記載の冷蔵庫。
【請求項６】
前記リブは、前記フレームに設けられたローラーを回転させるローラー軸の直下に設けられたことを特徴とする請求項５記載の冷蔵庫。
【請求項７】
前記端部は、前記レールのローラー摺動部の下面部より下方向に突出するリブであることを特徴とする請求項５記載の冷蔵庫。
【請求項８】
フレームと、前記フレームにローラーを回動自在に取り付けるローラー軸とを設け、前記フレームに設けた前記ローラー軸を取り付ける孔をバーリング加工後、前記ローラー軸を前記フレームにカシメさせたことを特徴とする請求項１から請求項７のいずれかに記載の冷蔵庫。
【発明の詳細な説明】
【０００１】
【発明の属する技術分野】
この発明は、冷蔵庫の引出し扉における、引出し扉に設けられたフレームと、そのフレームに設けられたローラーと、そのローラが摺動する冷蔵庫本体の内箱に設けられたレールの構造に関するものである。
【０００２】
【従来の技術】
図５，６，７，８は従来の冷蔵庫の引出し扉の構造を示す図である。図５は冷蔵庫の外観側面図、図６は引出し扉に設けられたフレーム構成の斜視図、図７はレール構造の断面図、図８はロッドの斜視図である。
図において、１は冷蔵庫であり、冷蔵庫の前面開口部には上扉２、中扉３、引出し式扉４が各々設けられている。引出し式扉４の裏方（裏面）には、全体としてコ字状のフレーム枠体５を形成している。フレーム枠体５は、引出し扉４の裏面に設けた補強板６を介して一対のフレーム７ａ，７ｂをネジ８にて固定され、フレーム７ａ，７ｂの後端は、ロッド９にて連結され成されている。図８に示すように、ロッド９の両端には平面部１０を形成してあり、また図７に示すように下方に折り曲げしてある。１１，１２は平面部１０に上下方向に図８に示すように折り曲げ部に設けた取付孔で、１３は上方の取付孔１１とフレーム７ａ，７ｂを固定したリベットである。１４は下方の取付孔１２とフレーム７ａ（７ｂ）をカシメにより固定したローラー軸である。１５はローラー軸１４に回動自在に設けた移動ローラーで、冷蔵庫１の内箱１７に設けた一対のレール１６の内側を前後に摺動する。また、固定ローラー２５の上部を移動ローラー１５を備えたフレーム７ａ，７ｂが往復し、引出し扉４が引出し可能となる。尚、引出し扉４の冷蔵庫内には容器２４を備え、その容器２４は、扉フレーム７ａ，７ｂの端部に支えられ収納されている。
尚、従来例には特開平５−２０３３３９号、特開平７−１３３９７５号がある。
【０００３】
【発明が解決しようとする課題】
従来の引出し扉のフレーム構成は、引出し扉の裏面の左右端に立設したフレームと、このフレームの後端部に、取付け面を形成したロッドとを備え、フレーム後端部と取付け面に貫通孔を設けローラーの軸を共に貫通させて共締めし、扉と一体にした枠体を成している。
フレーム後方のロッドは、フレームを枠体として構成するための後部の梁の機能を有しており、従来の構造ではロッドが無い場合はフレームが左右に振れた時、移動ローラーがレールから脱輪してしまい扉の開閉動作が不可能となってしまい必要不可欠な部品であった。すなわち、このような構造では、必ずロッドなる部品が必要でありコスト高となってしまうという問題があった。
また、冷蔵庫の生産現場でも、フレームを枠体にするための組立て用のスペースが必要であり、専用カシメ設備、その枠体のストック場所も広く必要となってしまうなどの問題があった。
【０００４】
この発明は、かかる問題点を解決するためになされたもので、扉のフレーム構成は、ロッドをなくしフレームのみでもフレームに設けられた移動ローラーが冷蔵庫本体の内箱に設けられたレールから脱輪することのないレール構造となるような冷蔵庫を提供することを目的としている。
【０００５】
【課題を解決するための手段】
この発明に係わる冷蔵庫は、引出し扉と、前記引出し扉の裏面の左右両側に立設したフレームと、前記各フレームの後部に設けられた前記フレーム摺動用のローラーと、冷蔵庫本体の内箱に設けられ、前記ローラーが摺動するローラ摺動部が設けられたレールとを備え、前記レールのローラ摺動部の上面部に上部フランジを設け前記レールのローラ摺動部の間口寸法を前記ローラーの外径より小さくすると共に、前記レールのローラ摺動部の下部に設けられたリブと前記フレーム下部に設けられた端部とが係合するものである。
【０００６】
また、前記リブに前記端部が引っ掛かるように配設されているものである。
【０００７】
また、前記端部は、前記フレームに設けられたローラーを回転させるローラー軸の直下に設けられたものである。
【０００８】
また、前記リブには冷蔵庫の前後方向に渡って上向きに開放部が設けられ、前記端部が前記フレームに設けられたローラーを回転させるローラー軸の下方に冷蔵庫の前後方向に渡って設けられたものである。
【０００９】
また、前記端部に前記リブが引っ掛かるように配設されているものである。
【００１０】
また、前記リブは、前記フレームに設けられたローラーを回転させるローラー軸の直下に設けられたものである。
【００１１】
また、前記端部は、前記レールのローラー摺動部の下面部より下方向に突出するリブである。
【００１２】
また、フレームと、フレームにローラーを回動自在に取り付けるローラー軸とを設け、フレームに設けた前記ローラー軸を取り付ける孔をバーリング加工後、ローラー軸を前記フレームにカシメさせたものである。
【００１３】
【発明の実施の形態】
実施の形態１．
以下、この発明の一実施の形態を図１，２において説明する。図１は冷蔵庫本体の内箱に設けられたレール部付近の断面図、図２はレール部の斜視図である。図において、１６は冷蔵庫本体１の内箱１７に設けたレールで、扉フレーム７ａ（７ｂ）に設けられた移動ローラー１５がレール１６内を庫内の前後方向に摺動する。移動ローラー１５はローラー軸１４に回動自在に設けられている。レール１６は図１に示すように、間口寸法Ａが移動ローラー１５の外径Ｂより小さくなるようにレール１６の天上面端部にフランジ１８を形成させており、ローラー外径Ｂの上部をフランジ１８が引掛かるようになっている。かつ、図２に示すように、前記レール１６の下面よりレール１６と一体化されコ字状のリブ１９が上向きに開放するように冷蔵庫内の前後方向に渡り形成されている。両側フレーム７ａ，７ｂの移動ローラー１５の取付け部の直下には端面２０を設け、レール１６に設けたコ字状リブ１９の内側に入るように配設させて両側フレーム７ａ，７ｂの各々をレール１６で保持している。
【００１４】
尚、以上、レール１６のリブ１９はコ字状としたが、コ字状ではなくＵ字状等他の形状であっても、フレーム７ａ，７ｂの端面２０が引っ掛かる構造であれば良い。
また、レール１６の天上面端部にフランジ１８を設けているが、そのフランジ１８は、天井面の端部でなくても、上面部にローラー１５が引っ掛かり、脱輪しない程度に凸部等の引っ掛け部を設けてあれば良い。
【００１５】
図１に示すように、移動ローラー１５のローラー軸１４は、取付け用の板金にて成形したフレーム７ａ，７ｂの貫通孔をバーリング加工することによりバーリング加工孔（バーリング加工部）２１ができる。そのバーリング加工孔２１の板厚は、フレームの板厚Ｃより厚みを増し板厚Ｄとなり、その後、移動ローラー１５のローラー軸１４をフレーム７ａ，７ｂにカシメて固定している。
よって、フレームの移動ローラー１５が取り付けられる取付孔はバーリング成形されているので従来のロッドが設置されている時と同じ寸法関係（フレームとロッドの厚み寸法）を維持しており移動ローラーのローラー軸の寸法は変更なく共通部品として使用可能である。
尚、バーリング加工とは、板金加工では一般的な加工方法であり、例えば、素材の板厚以上の接触面積が必要な場合に、必要径より小さい穴をあけた後、必要径を有するピンにて拡径しながら穴を綴り穴の端面を起す加工法のことを言う。
【００１６】
本件図示では扉の左右のフラツキは基本的にはレール１６と移動ローラー１５の左右ガタを小さくして規制し、フレーム下端部１９とレール１６のコ字状リブ１９は上記より広めにして示しているが、両者とも同寸またはその逆でも良い。
【００１７】
尚、引出し扉４の冷蔵庫内には容器２４を備え、その容器２４は、図５のように扉フレーム７ａ，７ｂ端に支えられ収納されている。
【００１８】
以上より、従来、扉の裏面に設けられたフレームを枠体として構成するために後部の梁の機能を有していたフレーム後方に設けられたロッドを設けていたが不要となり、部品点数の削減ができた。また、ロッドを無くした場合にフレームが左右に振れてしまうことや移動ローラー１５がレール１６から脱輪してしまい扉の開閉動作が不可能となってしまうことを防ぐこともできた。
また、本発明では、扉フレーム７ａ,７ｂの移動ローラー１５が摺動する冷蔵庫本体１に設けたレール１６の間口寸法Ａが移動ローラーの外径Ｂより小さくなるようにレール天井面端部にフランジ１８を設けると共に両側フレーム７ａ,７ｂの下端部とがラップするようなリ u１９をレール側に形成させて両側フレーム７ａ,７ｂを各々レール１６にて保持出来るようにしたので、フレーム７ａ,７ｂが左右に振れても少しの量ですみ移動ローラー１５の脱輪は発生しない。（移動ローラー１５の脱輪防止だけを考えた場合、レール１６の上下どちらか一方だけにフランジを設けても製品のバラツキまたは負荷荷重等が加わったりするとフレーム７ａ,７ｂ自体が捻れるため、移動ローラー１５が脱輪することがある。
また、移動ローラー１５をレール１６に嵌め込むようにレール１６の上下にフランジを設けることも考えられるが、移動ローラー１５は円形状でありレールのフランジに接する面は点で受けることになり従来のロッド９がある場合と比較すると左右のフラツキ、開閉操作の弱々しさ等品質的に満足出来るものではない。）
よってフレーム７ａ,７ｂ後方に位置するロッド９なる部品を廃止してコスト低減を図ると共に、冷蔵庫の生産現場でのフレーム組立て専用カシメ設備、スペース及びストック場所を縮小化する事が出来、安価で生産性の良い従来と同等の品質を確保した製品を提供出来る。
【００１９】
実施の形態２．
以下、本発明の一実施の形態を図３において説明する。図３はレール部の斜視図である。図において、レール１６は実施の形態１と同様、間口寸法Ａが移動ローラー１５の外径Ｂより小さくなるようにレール１６の天上面端部にフランジ１８を形成させており、ローラー外径Ｂの上部がフランジ１８に引掛かるようになっている。かつ、レール１６の下面よりコ字状のリブ１９を上向きに開放するように前後方向にわたり形成させてフレーム７ａ，７ｂの下辺端部２０を、移動ローラー１５取付け部の直下端面だけではなく、冷蔵庫内の前後方向にわたり、レール１６に設けたコ字状リブ１９の内側に入るように配設させて両側フレーム７ａ，７ｂの各々をレール１６で保持している。
フレーム７ａ，７ｂの下辺端部２０を、冷蔵庫内の前後方向にわたり、レール１６に設けたコ字状リブ１９の内側に入るように配設させることにより、実施の形態１よりも、更に、冷蔵庫扉４の左右のフラツキ（振れ）がなくなる。
【００２０】
実施の形態３．
以下、本発明の一実施の形態を図４において説明する。図４は冷蔵庫本体１の内箱１７に設けられたレール部付近の断面図である。図において、移動ローラー１５の外径Ｂの上部を冷蔵庫本体１に設けたレール１６の天上面端部にフランジ１８を形成させて引掛けると共に、前記レール１６下面部より下方向に突出するリブ２２を形成させ、フレーム７ａ，７ｂの移動ローラー１５の取付け部の直下部にＬ字状の折り曲げ辺２３を上向きに開放するように形成させてレール１６に設けた突出リブ２２がＬ字状折り曲げ辺２３の内側に入るように配設させて両側フレーム７ａ，７ｂの各々をレール１６に引っ掛ける形で、移動ローラー１５が脱輪しないように保持している。
よって、従来のロッドが有る枠体と同等の品質を確保した製品が得られ、また、図１の構造よりも金型構造は安価となる。
【００２１】
尚、以上、フレーム７ａ，７ｂの折り曲げ辺２３は上向きに開放したＬ字状としたが、Ｌ字状ではなく、Ｕ字状等他の形状であっても、レール１６に折り曲げ辺２３が引っ掛かり、レール１６から移動ローラー１５が脱輪しない程度のものであれば良い。
また、レール１６の天上面端部にフランジ１８を設けているが、そのフランジ１８の位置は、天井面の端部でなくても、上面前面でも良い。また、フランジ１８の形状は、ローラー１５が引っ掛かり、脱輪しない程度に凸部等の引っ掛け部を設けてあればよい。
【００２２】
【発明の効果】
この発明は、以上説明したように構成されているので、以下に記載されるような効果を奏する。
【００２３】
この発明に係わる冷蔵庫は、引出し扉と、前記引出し扉の裏面の左右両側に立設したフレームと、前記各フレームの後部に設けられた前記フレーム摺動用のローラーと、冷蔵庫本体の内箱に設けられ、前記ローラーが摺動するローラ摺動部が設けられたレールとを備え、前記レールのローラ摺動部の上面部に上部フランジを設け前記レールのローラ摺動部の間口寸法を前記ローラーの外径より小さくすると共に、前記レールのローラ摺動部の下部に設けられたリブと前記フレーム下部に設けられた端部とが係合するので、ローラがレールから脱輪してしまい扉の開閉動作が不可能になってしまうことを防ぐことができる。また、フレームを枠体として構成するためにフレーム後部間をつないでいたロッドを取り除くことができコスト低減を図ると共に、冷蔵庫の生産現場でのフレーム組立て専用カシメ設備、スペース及びストック場所を縮小化する事が出来、安価で生産性が良くなる。
【００２４】
また、前記リブに前記端部が引っ掛かるように配設されているので、従来のロッドが有る枠体と同等の品質を確保した製品が得られる。
【００２５】
また、前記端部は、前記フレームに設けられたローラーを回転させるローラー軸の直下に設けられたので、フレームが左右に振れてもローラーの脱輪が発生しない。
【００２６】
また、前記リブには冷蔵庫の前後方向に渡って上向きに開放部が設けられ、前記端部が前記フレームに設けられたローラーを回転させるローラー軸の下方に冷蔵庫の前後方向に渡って設けられたので、フレームの左右の振れが少なくなる。
【００２７】
また、前記端部に前記リブが引っ掛かるように配設されているので、従来のロッドが有る枠体と同等の品質を確保した製品が得られる。
【００２８】
また、前記リブは、前記フレームに設けられたローラーを回転させるローラー軸の直下に設けられたので、フレームが左右に振れてもローラーの脱輪が発生しない。
【００２９】
また、前記端部は、前記レールのローラー摺動部の下面部より下方向に突出するリブであるので、レールから移動ローラが脱輪しなくなる。
【００３０】
また、フレームと、前記フレームにローラーを回動自在に取り付けるローラー軸とを設け、前記フレームに設けた前記ローラー軸を取り付ける孔をバーリング加工後、前記ローラー軸を前記フレームにカシメさせたので、従来のロッドが設置されている時と同じ寸法関係を維持しており移動ローラーのローラー軸の寸法は変更なく共通部品として使用可能である。
【図面の簡単な説明】
【図１】  この発明の実施の形態１によるレール構造の断面図。
【図２】  この発明の実施の形態１によるレール構造の斜視図。
【図３】  この発明の実施の形態２によるレール構造の斜視図。
【図４】  この発明の実施の形態３によるレール構造の断面図。
【図５】  従来の冷蔵庫の外観側面図。
【図６】  従来の引出し扉のフレーム構成の斜視図。
【図７】  従来のレール構造の断面図。
【図８】  従来のロッドの斜視図。
【符号の説明】
１  冷蔵庫本体、４  引出し扉、７ａ，７ｂ  フレーム、９  ロッド、１３  リべット、１５  移動ローラー、１６  レール、１８  フランジ、１９  コ字状リブ、２０  端面、２１  バーリング部、２２  突出リブ、２３  折り曲げ辺、２４  容器、２５  固定ローラー。
【図１】
0003666277.tif 000002
【図２】
0003666277.tif 000003
【図３】
0003666277.tif 000004
【図４】
0003666277.tif 000005
【図５】
0003666277.tif 000006
【図６】
0003666277.tif 000007
【図７】
0003666277.tif 000008
【図８】
0003666277.tif 000009